(57)【要約】【課題】  骨組構造の組立作業を容易にすると共に、組み立てられた骨組構造の強度を大幅に向上させることが可能な建築部材とこれを用いた建築物を目的とする。  【解決手段】  建築物の床下に配設される土台３０、又は二階台６０における枠体の一辺をなす建築部材４０であり、断面形状が矩形をなす中空状に形成された金属製の柱状部材４０ａと、柱状部材４０ａの側面の少なくとも一面に配設され、柱１０の一端部が挿入される筒状をなす金属製の柱連結部４４ａと、柱状部材４０ａの、柱連結部４４ａと直交する側面のうち少なくとも一面に配設され、木製土台材１４ａまたは梁１４ｂの一端部が挿入される筒状をなす金属製の横架材連結部４６と、柱状部材４４ａの、柱連結部４４ａと直交する側面のうち少なくとも一面に配設され、大引きが支持される大引き支持部４８ａとを有している建築部材である。【選択図】        図６
2005273243.tif 000002
【特許請求の範囲】
【請求項１】
建築物の床下に配設される土台、若しくは二階台における枠体の一辺をなす建築部材であって、
断面形状が矩形をなす中空状に形成された金属製の柱状部材と、
前記柱状部材の側面の少なくとも一面に配設され、柱の一端部が挿入される筒状をなす金属製の柱連結部と、
前記柱状部材の、前記柱連結部と直交する側面のうち少なくとも一面に配設され、木製土台材または梁の一端部が挿入される筒状をなす金属製の横架材連結部と、
前記柱状部材の、前記柱連結部と直交する側面のうち少なくとも一面に配設され、大引きが支持される大引き支持部とを有していることを特徴とする建築部材。
【請求項２】
前記柱連結部と前記横架材連結部には、スリットが形成されていることを特徴とする請求項１記載の建築部材。
【請求項３】
前記柱連結部と前記横架材連結部には、前記スリットの幅を縮小させる方向に締め付けする締付手段が設けられていることを特徴とする請求項２記載の建築部材。
【請求項４】
前記大引き支持部は、大引きの下面および両側面の三面が支持される略Ｕ字状に形成されていることを特徴とする請求項１〜３のうちのいずれか一項記載の建築部材。
【請求項５】
建築物の床下に配設される土台若しくは二階台の少なくとも一辺に請求項１〜４のうちいずれか一項記載の建築部材を用いたことを特徴とする建築物。                                                 
【発明の詳細な説明】
【技術分野】
【０００１】
本発明は建築部材およびこれを用いた建築物に関し、より詳細には、建築物の床下に配設される土台や二階台を構成する枠体の一部に用いられ、建築物の骨組構造の組み立てが容易になると共に、土台や二階台の強度を大幅に向上させることが可能な建築部材とこれを用いた建築物に関する。
【背景技術】
【０００２】
従来、建築物を構成する骨組構造の組み立てにおいて、木材の端部に凹凸加工をすることなく木材を組み立てることができると共に、木造建築の耐震性を高めることができるはめ込み式の継ぎ手金具が特許文献１において開示されている。
【特許文献１】特開平１０−２８０５４０号公報
【発明の開示】
【発明が解決しようとする課題】
【０００３】
しかしながら、特許文献１に記載されている継ぎ手金具は、骨組構造の継手部分のみに配設されたものであるため、建築物を構築する際に必要となる継ぎ手金具の数量が多くなってしまう。これにより、接続箇所に対応する継ぎ手金具の識別が困難になり、組立作業が煩雑になるという課題がある。
また、木造建築の耐震性を向上させるために、特許文献１に記載されている継ぎ手金具の材料に鋼材を用いれば木材どうしの接合部分は補強されるものの、その他の部分においては木材が用いられているため、通常の強度と何ら変わるところがなく、木造建築物全体としての強度を大幅に向上させることは困難であるという課題もある。
【０００４】
そこで本発明は、骨組構造の組立作業を容易にすると共に、組み立てられた骨組構造（建築物）の強度を大幅に向上させることが可能な建築部材とこれを用いた建築物を提供することを目的としている。
【課題を解決するための手段】
【０００５】
以上の目的を達成するために本発明は以下に示す構成を有する。すなわち、建築物の床下に配設される土台、若しくは二階台における枠体の一辺をなす建築部材であって、断面形状が矩形をなす中空状に形成された金属製の柱状部材と、前記柱状部材の側面の少なくとも一面に配設され、柱の一端部が挿入される筒状をなす金属製の柱連結部と、前記柱状部材の、前記柱連結部と直交する側面のうち少なくとも一面に配設され、木製土台材または梁の一端部が挿入される筒状をなす金属製の横架材連結部と、前記柱状部材の、前記柱連結部と直交する側面のうち少なくとも一面に配設され、大引きが支持される大引き支持部とを有していることを特徴とする建築部材である。
【０００６】
また、前記柱連結部と前記横架材連結部には、スリットが形成されていることを特徴とする。これにより、間伐材等の木材を骨組構造の材料に用いたとしても、乾燥状態による木材の伸縮に柔軟に対応することが可能になり、さらに効率的な骨組構造の組み立てができる。
さらに、前記柱連結部と前記横架材連結部には、前記スリットの幅を縮小させる方向に締め付けする締付手段が設けられていることを特徴とする。これにより、柱や梁、木製土台材を連結させた後に、これらの部材が乾燥し、収縮したとしても、連結部に確実に連結させておくことが可能になる。
【０００７】
さらにまた、前記大引き支持部は、大引きの下面および両側面の三面が支持される略Ｕ字状に形成されていることを特徴とする。これにより、骨組構造の組立作業が一層容易に行うことができる。
【０００８】
また、他の発明は、建築物の床下に配設される土台若しくは二階台の少なくとも一辺に上記のうちのいずれかに記載された建築部材が用いられていることを特徴とする建築物である。これにより、簡単に、しかも確実に建築物の骨組構造物を組み立てることができると共に、組み立てられた建築物の強度を大幅に向上させることが可能になる。
【発明の効果】
【０００９】
本発明によれば、特に専門的な技術を有していなくても、建築物を簡単に組み立てることができる。また、骨組構造の接続部が予め鋼材に取り付けられているので、何らの特殊な細工をしなくても建築物の強度を大幅に向上させることが可能な建築部材を提供することができる。
また、連結強度が要求される柱連結部と横架材連結部が筒状に形成されているので、連結処理後における木材が拘束されるため、木材の乾燥によるねじれ等の発生を抑制することができる。これにより、乾燥するとねじれを生じるカラマツ材や、間伐材等を利用することが可能になり、安全で安価な建築物を提供することができる。
さらにまた、本建築部材を用いることにより、金属材による堅牢な連結部を有すると共に、木材による加工の容易さを併せ持った複合構造の建築物を非常に安価に提供することができる。
【発明を実施するための最良の形態】
【００１０】
以下、本発明にかかる建築部材およびこれを用いた建築物について図面と共に説明する。
図１は、本実施の形態における建築部材を用いた建築物の正面図である。図２は、図１の建築物における土台部分の平面図である。図３は、土台に用いられる建築部材の正面図である。図４は、土台の外周縁に用いられる建築部材の平面図である。図５は、土台の中間部分に用いられる建築部材の平面図である。
【００１１】
本実施の形態における建築物は図１に示されているように、バンガロー等の組立小屋１００である。本実施の形態にける組立小屋１００は２階建て構造となっている。組立小屋１００は、通柱１０、柱１２、梁等の横架材１４を組み合わせた骨組構造に壁１６や屋根１８、窓２０、扉２２が土台３０の上に配設された一般的な木造建築物の外観を呈している。
【００１２】
土台３０は、図２に示されているように、第１の建築部材４０ａ、４０ａを土台３０の外周縁を構成する一方の対向辺に配設し、第１の建築部材４０ａ、４０ａの間に第２の建築部材４０ｂを所要間隔に配設し、それぞれの建築部材４０ａ、４０ｂとの間は木製土台材１４ａ等の横架材により連結され、格子状の平面形状をなしている。土台３０は、各建築部材４０ａ、４０ｂが鋼鉄製で、建築部材４０ａ、４０ｂの間を連結する木製土台材１４ａが木材である複合構造になっている。
また、木製土台材１４ａの間には木製土台材１４ａと同方向に渡された大引き２４が配設されている。なお、図示しないが、大引き２４の上には大引き２４と直交する水平方向に渡される根太が配設される。さらには、根太の上に床材が配設される。
【００１３】
第１の建築部材４０ａは、長手方向に直交する断面形状が中空の矩形形状をなす鋼製の柱状部材４２ａの両端部および中途部の所要箇所において、上方に延びる筒状の柱連結部４４ａと、柱連結部４４ａと直交する方向のうちの一方に延びる筒状の横架材連結部４６ａと、柱状部材４２ａの側面において横架材連結部４６ａと同方向に延び、横架材連結部４６ａの間に適宜間隔に配設される大引き２４を支持する大引き支持部４８ａとを有している。
第１の建築部材４０ａと第２の建築部材４０ｂとは、図３〜図５より明らかなように、横架材連結部４６ａ、４４ｂと大引き支持部４８ａ、４８ｂが柱状部材４２ａ、４２ｂの片側のみに配設されているか両側に配設されているかのみの相違となっているため、ここでは、第２の建築部材４０ｂの詳細な説明は省略する。
【００１４】
図６は、図２中のＡ部分で囲まれた、土台において外周縁が交差する角部分にある第１の建築部材の端部を示したものである。
柱状部材４２ａの端部において鉛直方向に配設された柱連結部４４ａと、水平方向に配設された横架材連結部４６ａは、それぞれ筒状に形成され、柱１２または木製土台材１４ａが挿入される挿入空間を有している。柱連結部４４ａにおける挿入空間の下端には底板（図示せず）が配設され、横架材連結部４６ａにおける挿入空間の先端部分には柱連結部４４ａの側壁があり、各々の挿入空間は柱１２および木製土台材１４ａの先端部が柱連結部４４ａの底板又は柱連結部４６ａの側壁に当接する位置まで挿入される。
【００１５】
柱連結部４４ａと横架材連結部４６ａを構成する側壁のうち、一の側壁には、挿入空間の内部と外部とを連通し、柱１２または木製土台材１４ａを挿入する方向に延びるスリット５０が形成されている。柱連結部４４ａと横架材連結部４６ａにスリット５０が形成されていることにより、挿入空間の開口部分が拡大するので、挿入空間に挿入させる柱１２や木製土台材１４ａの寸法合わせを厳密に行わなくても容易に挿入させることが可能になり好適である。
また、スリット５０の中間部分には、ボルト止め可能に形成された締付手段５２が配設されている。柱連結部４４ａおよび横架材連結部４６ａの挿入空間に柱１２および木製土台材１４ａを挿入し、締付手段５２によりスリット５０の幅を縮小させる方向に締め付けてボルト止めする。締付手段５２による柱連結部４４ａおよび横架材連結部４６ａの締め付けをした後、ネジ孔ＮＨにおいてネジ止めすることにより柱１２と木製土台材１４ａが柱連結部４４ａと横架材連結部４６ａにそれぞれ確実に連結される。
【００１６】
大引き支持部４８ａは、柱状部材４２ａの側面に取り付けられており、横架材連結部４６ａと同方向に延びるようにして配設されている。大引き支持部４８ａは、横架材連結部４６ａ、４６ａの間に所要間隔をあけて配設されている。
また、大引き支持部４８ａは、上方が開口する略Ｕ字状に形成されており、大引き２４は大引き支持部４８ａの上方から落とし込むようにして配設されている。大引き支持部４８ａは、配設された大引き２４の下面と両側面を支持する。大引き２４は必要に応じて大引き支持部４８ａに設けられたネジ孔（図示せず）においてネジ止めにより固定される。
【００１７】
図７は二階台の平面図である。図８は図７中のＢ部分における拡大斜視図である。図９は、図７中のＣ部分における拡大斜視図である。
二階台６０において用いられる第３の建築部材４０ｃと第４の建築部材４０ｄの基本構造は、前述した第１の建築部材４０ａと同様であるが、第３の建築部材４０ｃにおいては、柱連結部４４ｃが柱状部材４２ｃに対して下方に延びるように配設されていると共に、垂木配設部４９が設けられている点で第１の建築部材４０ａと異なっている。一方、第４の建築部材４０ｄは、柱状部材４２ｄの全ての側面に９０度間隔に柱連結部４４ｄと横架材連結部４６ｄが交互に配設されていると共に、柱連結部４４ｄが柱１２と横架材１４との交点部分以外の部分にも配設されている点が第１の建築部材４０ａと異なっている。
【００１８】
図８に示すように、第３の建築部材４０ｃの横架材連結部４６ｃの上に設けられた垂木配設部４９は、大引き支持部４８ａと同様に略Ｕ字状に形成されている。配設される垂木１４ｃは大引き２４と同様に、上側から落とし込むようにして垂木配設部４９に配設される。垂木配設部４９は、垂木１４ｃの底面と両側面と当接して垂木１４ｃを支持するものであるが、必要に応じて、垂木配設部４９に設けられたネジ孔ＮＨにネジ止めして固定してもよい。なお、第３の建築部材４０ｃの横架材連結部４６ｃに連結される横架材は梁１４ｂである。
【００１９】
図９に示すように、第４の建築部材４０ｄの柱状部材４２ｄには複数の柱連結部４４ｄが配設されている。柱状部材４２ｄの上面および下面において、上下方向の同一直線上に柱連結部４４ｄ、４４ｄが設けられている。本実施の形態においては上下の柱連結部４４ｄ、４４ｄに柱１２、１２を連結させる形態としているが、上下の柱連結部４４ｄ、４４ｄの挿入空間を上下に連通させて、通柱１０を柱連結部４４ｄに挿通させた後にネジ孔ＮＨの位置においてネジ止めし、通柱１０を柱連結部４４ｄ、４４ｄに連結させることももちろん可能である。
【００２０】
本実施の形態においては、土台３０または二階台６０において対向する一対辺に第１の建築部材４０ａ、４０ａまたは第３の建築部材４０ｃ、４０ｃの間に第２の建築部材４０ｂまたは第４の建築部材４０ｄを一つだけ配設した組立小屋１００としているが、第２の建築部材４０ｂまたは第４の建築部材４０ｄの配設数を増やせば、組立小屋１００の奥行き方向の居住空間を適宜増加させることができる。
【００２１】
また、本実施の形態で説明したそれぞれの建築部材４０ｘ（ｘはａ、ｂ、ｃ、ｄのいずれか一つ。以下同様）では、柱状部材４２ｘが長いため、運搬や組立において不都合を生じる場合がある。そこで、柱状部材４２ｘを所要の長さになるように切断してモジュール化し、ボルトナットにより連結する連結部材若しくは、柱状部材４２ｘと同様に中空状の矩形断面を有する形状に形成された延長部材を有する連結部材（共に図示せず）を用いてモジュール化した建築部材４０ｘのそれぞれを互いに連結して組み立てる形態を採用することもできる。これによれば、建築部材４０ｘの運搬や、建築物の組み立て作業が容易になると共に、建築物の間口方向の間取りの設計自由度が大幅に向上するため好適である。
【図面の簡単な説明】
【００２２】
【図１】本実施の形態における建築部材を用いた建築物の正面図である。
【図２】図１の建築物における土台部分の平面図である。
【図３】土台に用いられる建築部材の正面図である。
【図４】土台の外周縁に用いられる建築部材の平面図である。
【図５】土台の中間部分に用いられる建築部材の平面図である。
【図６】図２中のＡ部分で囲まれた、土台において外周縁が交差する角部分にある第１の建築部材の端部を示したものである。
【図７】二階台の平面図である。
【図８】図７中のＢ部分における拡大斜視図である。
【図９】図７中のＣ部分における拡大斜視図である。
【符号の説明】
【００２３】
１０  通柱
１２  柱
１４  横架材
１４ａ  木製土台材
１４ｂ  梁
３０  土台
４０  建築部材
４２  柱状部材
４４  柱連結部
４６  横架材連結部
４８ａ  大引き支持部
４９  垂木配設部
５０  スリット
５２  締付手段
６０  二階台
１００  組立小屋
ＮＨ  ネジ孔                                                        
【図１】
2005273243.tif 000003
【図２】
2005273243.tif 000004
【図３】
2005273243.tif 000005
【図４】
2005273243.tif 000006
【図５】
2005273243.tif 000007
【図６】
2005273243.tif 000008
【図７】
2005273243.tif 000009
【図８】
2005273243.tif 000010
【図９】
2005273243.tif 000011